(57)【特許請求の範囲】
【請求項１】
操作部を操作して水槽の底に取り付けた排水筒内に配設されたピンを上下動させることにより、排水栓を上下動させて前記排水筒の排水口を開閉し、前記排水筒内に配設されたヘアーキャッチャで毛髪などを受け止める排水栓装置において、
前記ヘアーキャッチャと前記排水栓とを別体とし、
前記排水栓の下面に垂下する複数の被案内羽根を設け、
前記ヘアーキャッチャを、少なくとも前記ピンが挿入される軸部と、この軸部の上側に位置し、前記被案内羽根を案内する貫通した複数のガイド部が設けられた支持部と、前記軸部の下側に位置し、前記ガイド部を貫通した前記被案内羽根の下端部を受容する受容部が設けられた目皿部とで構成した、
ことを特徴とする排水栓装置。
【請求項２】
請求項１に記載の排水栓装置において、
前記複数の被案内羽根の外径を、前記排水口の内径よりも僅かに小さくした、
ことを特徴とする排水栓装置。
【発明の詳細な説明】
【０００１】
【発明の属する技術分野】
この発明は、例えば洗面台の槽の底に取り付けられる排水栓装置に関するものである。
【０００２】
【従来の技術】
従来の上記した排水栓装置の一例について説明すると、水槽の上側に取り付けた操作部を操作して水槽の底に取り付けた排水筒内に配設されたピンを上下動させることにより、排水栓を上下動させて排水筒の排水口を開閉し、排水筒内に配設されたヘアーキャッチャで毛髪などを受け止める構成とされている。
なお、ヘアーキャッチャと排水栓とは一体的に構成されている。
【０００３】
したがって、操作部を操作してピンを上昇させると、排水栓が上昇して排水口を開放するので、水槽内の水は排水口から排出される。
このように排水口から水を排出する際、水とともに流出する毛髪などで配水管を目詰まりさせないように、排水筒内に配設されているヘアーキャッチャで毛髪などを受け止める。
また、操作部を操作してピンを下降させると、排水栓が下降して排水口を閉成するので、水槽内に水を貯めることができる。
【０００４】
【発明が解決しようとする課題】
通常、洗面台は、手を洗ったり、歯磨きをしたり、洗顔する場合などに利用するが、排水栓を開放したままで利用する場合の方が多い。
このように排水栓を開放したままで利用する場合、排水栓が水槽の底から浮き上がっているので、排水栓が目障りであり、特に、水槽が浅い場合には手を洗うときに手の甲に排水栓が接する不具合がある。
そこで、排水栓とヘアーキャッチャとを別体とし、水槽に水を貯めない場合は排水栓をヘアーキャッチャから取り外して水槽の底をすっきりさせ、水槽に水を貯める場合は排水栓をヘアーキャッチャに取り付けることが考えられるが、確実に排水栓を止水可能な状態に、ヘアーキャッチャに装着できなければ、水槽に水を貯めても漏れてしまうという不都合がある。
【０００５】
この発明は、上記したような事情を考慮してなされたもので、排水栓が着脱可能で、排水栓を容易に、そして確実に止水可能な状態に、ヘアーキャッチャに装着することのできる排水栓装置を提供するものである。
【０００６】
【課題を解決するための手段】
この発明は、操作部を操作して水槽の底に取り付けた排水筒内に配設されたピンを上下動させることにより、排水栓を上下動させて排水筒の排水口を開閉し、排水筒内に配設されたヘアーキャッチャで毛髪などを受け止める排水栓装置において、ヘアーキャッチャと排水栓とを別体とし、排水栓の下面に垂下する複数の被案内羽根を設け、ヘアーキャッチャを、少なくともピンが挿入される軸部と、この軸部の上側に位置し、被案内羽根を案内する貫通した複数のガイド部が設けられた支持部と、軸部の下側に位置し、ガイド部を貫通した被案内羽根の下端部を受容する受容部が設けられた目皿部とで構成したものである。
そして、複数の被案内羽根の外径を、排水口の内径よりも僅かに小さくするのが望ましい。
【０００７】
【発明の実施の形態】
以下、この発明の実施形態を図に基づいて説明する。
図１はこの発明の一実施形態である排水栓装置を水槽に取り付けて止水状態にした説明図、図２は図１に示した排水栓装置の部分断面図、図３（ａ），（ｂ），（ｃ）は図２に示したステイリングの左半分を断面にした正面図、平面図、および図３（ｂ）のＡ−Ａ線による断面図、図４（ａ），（ｂ），（ｃ）は図２に示したホルダステイの右半分を断面にした正面図、平面図、および右半分を断面にした右側面図、図５（ａ），（ｂ）は図２に示したヘアーキャッチャの正面図および平面図、図６（ａ），（ｂ）は図２に示した排水栓の正面図および底面図、図７は操作部を操作して排水口を開放させた排水状態の説明図である。
【０００８】
これらの図において、Ｂで示す洗面台の水槽には、周壁の所定位置に操作部が取り付けられ、底ｏに排水筒が取り付けられている。
１で示すプラスチックで成形された第１スイッチケース本体は、前面が開放した有底の円筒部１ａと、この円筒部１ａに後ろ側で連通して半径方向の下側へ延びた流出円筒部１ｂとで構成されている。
そして、円筒部１ａの前面側には、円周方向へ複数の係止孔１ｈが設けられている。
【０００９】
２で示すプラスチックで成形された第２スイッチケース本体は、前面および後ろ面が開放し、第１スイッチケース本体１の円筒部１ａ内へ挿入される円筒部と、この円筒部の前端に外側へ所定の幅で設けられたフランジ部２ａとで構成されている。
そして、第２スイッチケース本体２の円筒部には、内周に雌ねじが設けられ、前側外周に円周方向へ、第１スイッチケース本体１の係止孔１ｈに係合する複数の係合爪２ｎが複数の係止孔１ｈに対応させて設けられている。
【００１０】
なお、第１スイッチケース本体１と第２スイッチケース本体２との間には、水密に封止するＯリングが配設されている。
そして、上記した第１スイッチケース本体１、第２スイッチケース本体２およびＯリングでスイッチケース本体を構成する。
【００１１】
３で示すプラスチックで成形されたスイッチケース取付筒体は、上面および下面が開放し、第２スイッチケース本体２の円筒部内へ挿入される円筒部３ａと、この円筒部３ａの前端に外側へ所定の幅で設けられたフランジ部３ｂとで構成されている。
そして、円筒部３ａには、外周に第２スイッチケース本体２の雌ねじに螺合する雄ねじが設けられている。
【００１２】
上記したスイッチケース本体およびスイッチケース取付筒体３でスイッチケースを構成する。
なお、スイッチケースの中には、伝動体であるインナワイヤ１１を収容した筒状のアウタワイヤ１２を固定するためのホルダ、プッシュ・プッシュ式のロック機構などが、オーバーフローの流路を塞がないように設けられている。
【００１３】
２１で示すプラスチックで成形された操作部として操作ボタンは、インナワイヤ１１の一端に所定の部材を介して着脱可能に取り付けられる軸部２１ａと、この軸部２１ａの前端に設けられた押圧部２１ｂと構成とされている。
２２で示すプラスチックで成形されたヘアーキャッチャは、操作ボタン２１の軸部２１ａが貫通する軸部と、この軸部の前端に、第２スイッチケース本体２の円筒部内で軸方向へ遊嵌する大きさに形成された目皿部２２ａとで構成されている。
そして、操作ボタン２１とヘアーキャッチャ２２とには、ヘアーキャッチャ２２を軸部２１ａに着脱可能に装着できる係止手段が設けられている。
【００１４】
３１で示すゴム管は、第１スイッチケース本体１の流出円筒部１ｂに一端がクリップ３２で着脱可能に取り付けられ、他端が、後述するジョイント８１にクリップ３２で着脱可能に取り付けられ、スイッチケースからの水を後述する排水筒へ供給するものである。
なお、ゴム管３１の長さは、スイッチケースを取り付ける位置と、排水筒を取り付ける位置とを考慮した長さとされている。
【００１５】
４１で示すプラスチックで成形された第１排水筒本体は、上面が開放した有底の円筒部４１ａと、この円筒部４１ａに下側で連通して半径方向へ延びた流入円筒部４１ｂと、円筒部４１ａに下側で連通して流入円筒部４１ｂと９０度離れた半径方向へ延びた流出円筒部４１ｃとで構成されている。
そして、円筒部４１ａには、上側の円周方向へ複数の係止孔４１ｈが設けられ、内側に円周方向へ、間に流入円筒部４１ｂ、流出円筒部４１ｃが位置して底から垂直に立ち上がった３つのガイド部４１ｇが設けられている。
【００１６】
なお、３つのガイド部４１ｇは、後述する第２排水筒本体４２に後述する排水孔本体４４を螺合せても、排水孔本体４４に衝合せずに、後述するステイリング５１を上下に案内できるように設けられている。
そして、流入円筒部４１ｂの先端側には、後述するジョイントナット８２の係止孔８２ｈに係合する複数の係合爪４１ｎが円周方向に設けられている。
さらに、流出円筒部４１ｃの先端の外周には、雄ねじが設けられている。
【００１７】
４２で示すプラスチックで成形された第２排水筒本体は、上面および下面が開放し、第１排水筒本体４１の円筒部４１ａ内へ挿入される円筒部４２ａと、この円筒部４２ａの上端に外側へ所定の幅で設けられたフランジ部４２ｂとで構成されている。
そして、円筒部４２ａには、内周に雌ねじが設けられ、上側の外周に円周方向へ、第１排水筒本体４１の係止孔４１ｈに係合する複数の係合爪４２ｎが複数の係止孔４１ｈに対応させて設けられている。
【００１８】
４３で示すＯリングは、第１排水筒本体４１と第２排水筒本体４２との間を水密に封止するものである。
上記した第１排水筒本体４１、第２排水筒本体４２およびＯリング４３で排水筒本体を構成する。
【００１９】
４４で示すプラスチックで成形された排水孔本体は、上面および下面が開放し、第２排水筒本体４２の円筒部４２ａ内へ挿入される円筒部４４ａと、この円筒部４４ａの上端に外側へ所定の幅で設けられたフランジ部４４ｂとで構成されている。
そして、円筒部４４ａには、外周に第２排水筒本体４２の雌ねじに螺合する雄ねじが設けられ、内周の下側に、内周面が下側へ拡開する傾斜面とされた段部４４ｓが周回して設けられている。
さらに、円筒部４４ａの内周の上端は、外側へ拡開する傾斜面とされている。
上記した排水筒本体および排水孔本体４４で排水筒を構成する。
【００２０】
５１で示すプラスチックで成形されたステイリングは、上面および下面が開放し、排水孔本体４４の段部４４ｓ内へ下側から挿入可能な円筒部５１ａと、この円筒部５１ａの下端に外側へ所定の幅で設けられ、排水孔本体４４の下端に当接するフランジ部５１ｂとで構成されている。
そして、円筒部５１ａには、排水孔本体４４の段部４４ｓに係合する係合爪５１ｎが外周の円周方向へ複数突出させて設けられ、後述するホルダステイ５２を位置決めする位置決め凹部５１ｄが１８０度の位置関係で内周に２つ設けられるとともに、ホルダステイ５２の保持爪５２ｎが係合する係止孔５１ｈが位置決め凹部５１ｄ内に１８０度の位置関係で２つ設けられている。
【００２１】
また、フランジ部５１ｂには、第１排水筒本体４１のガイド部４１ｇの１つと係合する係合凹部５１ｇが縁に設けられ、平断面がＵ字状で半径方向へ延び、外側が開放してガイド部４１ｇを挟む状態で係合する係合部５１ｕが他の２つのガイド部４１ｇに対応させて下面に垂下させて設けられている。
【００２２】
５２で示すプラスチックで成形されたホルダステイは、ステイリング５１の位置決め凹部５１ｄ内へ差し渡されるＩ字形状とされている。
そして、中心に上下方向へ貫通孔５２ａが設けられている。
さらに、長手方向の両端に、ステイリング５１の上端に当接する当接部５２ｂと、この当接部５２ｂとでステイリング５１の一部を保持し、係止孔５１ｈに係合する保持爪５２ｃとからなる係合部が設けられている。
【００２３】
なお、貫通孔５２ａの上側の内側に爪部分を対向させた状態に、一対の係止爪５２ｄが設けられている。
そして、ホルダステイ５２は、流路を確保するため、必要部分を除いて肉抜きされている。
【００２４】
６１で示すプラスチックで成形されたヘアーキャッチャは、インナワイヤ１１の他端に取り付けられたピン１３などが挿入される軸部６２と、この軸部６２の上側に位置し、後述する排水栓７１の被案内羽根７４ａを案内するガイド部としてのガイド溝６３ａが９０度の間隔で設けられた軸部６２を中心にした円形の支持部６３と、軸部６２の下側に位置し、被案内羽根７４ａの下端部を受容する受容部としての貫通した溝６４ａが、ガイド溝６３ａの真下に位置させて４つ設けられた軸部６２を中心にした円形の目皿部６４とで構成されている。
【００２５】
そして、目皿部６４の外径は、排水孔本体４４の内径よりも僅かに小さくされている。
また、支持部６３の大きさは、被案内羽根７４ａの内側をガイドできればよいので、流路を確保するために極力小径であるのが望ましい。
【００２６】
７１で示す排水栓は、金属製のキャップ７２と、パッキン７３と、キャップ７２に螺合し、キャップ７２とでパッキン７３を保持するプラスチックで成形したカラー７４とで構成されている。
そして、カラー７４の下面には、同心円上に９０度の間隔で、半径方向へ延び、ヘアーキャッチャ６１のガイド溝６３ａ、溝６４ａで案内される４つの被案内羽根７４ａが設けられている。
この被案内羽根７４ａの外径は、排水孔本体４４の内径よりも僅かに小さくされている。
【００２７】
８１で示すプラスチックで成形された筒状のジョイントは、プラスチックで成形された筒状のジョイントナット８２で第１排水筒本体４１の流入円筒部４１ｂに取り付けられる。
そして、ジョイントナット８２には、流入円筒部４１ｂの係合爪４１ｎが係合する複数の係止孔８２ｈが複数の係合爪４１ｎに対応させて設けられている。
８３で示すプラスチックで成形されたサイレンサは、流入円筒部４１ｂの先端の上側に位置決めされた状態でジョイント８１によって固定される。
８４で示すＯリングは、流入円筒部４１ｂとジョイント８１との間を水密に封止するものである。
【００２８】
９１で示す取付部材は、アウタワイヤ１２の他端をホルダステイ５２の中心に取り付けるための種々の部材からなるものであり、外側の部材にホルダステイ５２の係止爪５２ｄが係合する周回した係合部９１ａが設けられている。
なお、アウタワイヤ１２の一端にも、スイッチケース本体に取り付けるため、取付部材９１と同様な取付部材が取り付けられる。
そして、各爪５１ｎ，５２ｂ，５２ｄに所定の弾性を持たせるため、周囲の一部を除いて肉抜きがされている。
【００２９】
次に、取付前のアッセンブリーの一例について説明する。
まず、両ワイヤ１１，１２の一端側にロック機構、ピン、取付部材およびホルダなどを取り付け、両ワイヤ１１，１２の他端側にピン１３および取付部材９１を取り付ける。
そして、アウタワイヤ１２の他端側およびピン１３を、例えば第２スイッチケース本体２に設けられたステイの間へ挿通し、アウタワイヤ１２の一端側に取り付けたホルダをステイに固定する。
【００３０】
さらに、アウタワイヤ１２の他端側およびピン１３を第１スイッチケース本体１の円筒部１ａから流出円筒部１ｂへと挿通した後、Ｏリングを装着した第２スイッチケース本体２の円筒部を円筒部１ａへ挿入してフランジ部２ａを円筒部１ａに当接させ、係合爪２ｎを係止孔１ｈに係合させると、スイッチケース本体を組み立てることができる。
そして、アウタワイヤ１２の他端側およびピン１３をゴム管３１に挿通してゴム管３１の一端に流出円筒部１ｂを圧入し、ゴム管３１の一端をクリップ３２で流出円筒部１ｂに固定する。
【００３１】
次に、アウタワイヤ１２の他端側、ピン１３、およびゴム管３１の他端側をもう１つのクリップ３２、ジョイントナット８２、ジョイント８１に挿通し、ジョイント８１の細径部側をゴム管３１の他端に圧入した後、ゴム管３１の他端をクリップ３２でジョイント８１に固定する。
そして、アウタワイヤ１２の他端側およびピン１３を、Ｏリング８４を装着した第１排水筒本体４１の流入円筒部４１ｂから円筒部４１ａへ挿通し、流入円筒部４１ｂの先端の上側にサイレンサ８３を位置決めした後、例えば円筒部４１ａと流入円筒部４１ｂとの中心線が形成する面が、第１スイッチケース本体１の中心線を通るようにジョイント８１の太径部側を流入円筒部４１ｂの先端に被せ、ジョイントナット８２を流入円筒部４１ｂ側へ移動させて係合爪４１ｎを係止孔８２ｈに係合させると、第１排水筒本体４１にジョイント８１、ジョイントナット８２およびサイレンサ８３を取り付けることができる。
【００３２】
次に、ステイリング５１の位置決め凹部５１ｄの間へ上側からホルダステイ５２を圧入すると、保持爪５２ｃが縮閉した後に係止孔５１ｈの位置に到達して拡開し、当接部５２ｂがステイリング５１の上端に当接するので、ホルダステイ５２を円周方向へ回動しない状態に、ステイリング５１に固定できる。
このようにステイリング５１に取り付けられたホルダステイ５２の貫通孔５２ａへ下側から、アウタワイヤ１２の他端側およびピン１３を挿通し、取付部材９１の係合部９１ａに係止爪５２ｄを係合させると、取付部材９１がホルダステイ５２に回転可能に固定され、ピン１３はステイリング５１およびホルダステイ５２の軸方向へ向いた状態になる。
【００３３】
そして、ステイリング５１を円筒部４１ａへ上側から挿入し、係合凹部５１ｇおよび係合部５１ｕを各ガイド部４１ｇに対応させて係合させた後、さらにステイリング５１を円筒部４１ａの底側へ挿入する。
次に、Ｏリング４３を装着した第２排水筒本体４２にアウタワイヤ１２の他端側およびピン１３を挿通させながら円筒部４２ａを円筒部４１ａへ挿入してフランジ部４２ｂを円筒部４１ａに当接させ、係合爪４２ｎを係止孔４１ｈに係合させると、排水筒本体を組み立てることができ、アッセンブリーが完了する。
【００３４】
次に、取付について説明する。
まず、第２排水筒本体４２のフランジ部４２ｂの上に所定のパッキンを載置してフランジ部４２ｂを、水槽Ｂの底ｏの排水筒取付孔へ下側（裏側）から当てる。
そして、水槽Ｂの排水筒取付孔へ上側（表側）から所定のパッキンを装着した排水孔本体４４を挿入した後、円筒部４２ａの内周に設けられた雌ねじに円筒部４４ａの外周に設けられた雄ねじを螺合させ、フランジ部４２ｂ，４４ｂに水槽Ｂの底ｏを挟持させると、水槽Ｂの底ｏに排水筒を取り付けることができる。
【００３５】
なお、排水筒を水槽Ｂの底ｏに取り付ける場合、第１排水筒本体４１の流入円筒部４１ｂ、ジョイント８１を、スイッチケースを取り付ける方向へ向かうように取り付けるのが望ましい。
次に、所定の治具を円筒部４４ａへ上側から挿入してステイリング５１のフランジ部５１ｂの下側に当て、治具を引き上げると、ステイリング５１がガイド部４１ｇで案内されることにより、係合爪５１ｎが縮閉した後に段部４４ｓの上に到達して拡開し、フランジ部５１ｂがステイリング５１の下端に当接するので、ステイリング５１を排水孔本体４４取り付けることができる。
【００３６】
そして、第２スイッチケース本体２のフランジ部２ａに所定のパッキンを当ててフランジ部２ａを、水槽Ｂの周壁の所定位置に設けられたスイッチ取付孔へ裏側から当てる。
さらに、水槽Ｂのスイッチ取付孔へ表側から所定のパッキンを装着したスイッチケース取付筒体３を挿入した後、第２スイッチケース本体２の円筒部の内周に設けられた雌ねじに円筒部３ａの外周に設けられた雄ねじを螺合させ、フランジ部２ａ，３ｂに水槽Ｂの周壁を挟持させると、水槽Ｂの周壁にスイッチケースを取り付けることができる。
【００３７】
次に、操作ボタン２１の軸部２１ａをヘアーキャッチャ２２の軸部に挿通してヘアーキャッチャ２２を軸部２１ａに取り付けた後、軸部２１ａをスイッチケース取付筒体３の円筒部３ａに挿入し、インナワイヤ１１の一端側に操作ボタン２１を取り付ける。
なお、操作ボタン２１を操作してロック機構をアンロック状態とし、排水栓７１が排水筒の排水口を閉塞する状態にしておくものとする。
【００３８】
そして、目皿部６４側を下にしてヘアーキャッチャ６１を、排水栓ナット４４の円筒部４４ａへ挿入し、ピン１３および取付部材９１を軸部６２に挿入すると、目皿部６４が円筒部４４ａの周面で案内され、ヘアーキャッチャ６１はホルダステイ５２の上に載置される。
さらに、各被案内羽根側７４ａの下端を支持部６３の各ガイド溝６３ａに合わせ、排水栓７１を垂下させると、各被案内羽根側７４ａが各ガイド溝６３ａおよび円筒部４４ａの周面で案内されて下降し、目皿部６４の各溝６４ａに各被案内羽根７４ａの下端部が受容される。
【００３９】
このように排水栓７１を装着すると、パッキン７３が円筒部４４ａの傾斜面に当接し、図１および図２に示す止水状態に取り付けることができる。
しかし、排水栓７１は、パッキン７３が円筒部４４ａの傾斜面に当接するのみで、他の部分からは浮いた状態となっている。
【００４０】
次に、動作について説明する。
まず、図１および図２に示す止水状態で水槽Ｂに水を貯めると、水位が底ｏの方から上昇してくる。
そして、水位がスイッチケース取付筒体３の位置に到達すると、水はスイッチケース取付筒体３から第２スイッチケース本体２内へ流入し、第２スイッチケース本体２から第１スイッチケース本体１、ゴム管３１、ジョイント８１、第１排水筒本体４１へと流れ、流出円筒部４１ｃから排出される。
【００４１】
このようにスイッチケース取付筒体３に流入する水に毛髪などが含まれていると、毛髪などはヘアーキャッチャ２２で受け止められるので、後で取り除くことができる。
また、水槽Ｂに貯めた水を排水する場合は、図１に示す操作ボタン２１を押し込んでロック機構を作動させてロック状態にすると、インナワイヤ１１がアウタワイヤ１２に案内されて所定距離前進し、ピン１３も所定距離上昇する。
【００４２】
このようにピン１３が所定距離上昇する過程で、ピン１３が軸部６２に衝合してヘアーキャッチ６１を持ち上げ、支持部６３がカラー７４に衝合して排水栓７１を持ち上げるので、パッキン７３が円筒部４４ａの傾斜面から離れることにより、排水口が開放され、最終的に図７に示す状態となり、目皿部６４の外周上端は、円筒部４４ａの垂直な周面の上端よりも下側に位置する。
したがって、ヘアーキャッチャ６１は上昇位置でも機能し、水槽Ｂの水は排水孔本体４４内へ流入し、排水孔本体４４から第１排水筒本体４１へと流れ、流出円筒部４１ｃから排出される。
【００４３】
このように排水孔本体４４に流入する水に毛髪などが含まれていると、毛髪などはヘアーキャッチャ６１で受け止められるので、水を排水させた後、排水栓７１を取り外し、支持部６３を摘んでヘアーキャッチャ６１を取り外しことにより、毛髪などを取り除くことができる。
なお、ヘアーキャッチャ６１および排水栓７１の取付は、前述したようにして再度取り付けることができる。
【００４４】
そして、再度操作ボタン２１を押し込んでロック機構を作動させてアンロック状態にすると、インナワイヤ１１がアウタワイヤ１２に案内されて所定距離後退し、ピン１３も所定距離下降するので、ヘアーキャッチャ６１および排水栓７１も下降し、排水栓７１で排水口を閉塞し、図１および図２に示す状態になる。
【００４５】
上述したように、この発明の一実施形態によれば、ヘアーキャッチャ６１と排水栓７１とを別体としたので、水槽Ｂに水を貯めないときは排水栓７１を取り外し、水槽Ｂの底ｏをすっきりさせることができる。
また、ヘアーキャッチャ６１および／または排水栓７１を清掃する場合、ヘアーキャッチャ６１と排水栓７１とに分解できるので、ヘアーキャッチャ６１および／または排水栓７１を個々に清掃することができ、ヘアーキャッチャ６１と排水栓７１とが一体構成のものよりも清掃性が向上する。
【００４６】
そして、排水栓７１を取り外すと、ヘアーキャッチャ６１の支持部６３が把持できる位置に位置するので、支持部６３をヘアーキャッチャ６１の取り外し時または取付時の把持部として利用することができる。
また、目皿部６４の外径を排水孔本体４４の内径よりも僅かに小さくしたので、目皿部６４が排水孔本体４４の内周面で案内され、排水孔本体４４の半径方向への移動を阻止されてセンタリングされる。
【００４７】
さらに、ヘアーキャッチャ６１の上下に排水栓７１の被案内羽根７４ａを案内するガイド溝６３ａ、被案内羽根７４ａの下端部を受容する溝６４ａを設けたので、被案内羽根７４ａの下端をガイド溝６３ａに挿入することによって容易に、そして確実に被案内羽根７４ａをセンタリングさせながら案内して溝６４に受容させることができるため、また、被案内羽根７４ａの外径を排水孔本体４４の内径よりも僅かに小さくしたので、被案内羽根７４ａが排水孔本体４４の内周面でも案内され、排水孔本体４４の半径方向への移動を阻止されてセンタリングされるため、排水栓７１を容易に、そして確実に止水可能な状態に、ヘアーキャッチャ６１に装着することができる。
なお、排水状態においても、被案内羽根７４ａが排水孔本体４４の半径方向への移動を阻止される。
【００４８】
上記した実施形態では、ヘアーキャッチャ６１を２部品で構成したが、１部品で構成したり、３部品で構成してもよい。
また、受容部を貫通した溝６４ａとしたが、被案内羽根７４ａの下端部を受容できる凹部などであってもよい。
さらに、洗面台の排水栓装置の例で説明したが、遠隔操作で排水栓を上下動させる浴槽などの他のものにも適用できることは言うまでもない。
【００４９】
【発明の効果】
以上のように、この発明によれば、ヘアーキャッチャと排水栓とを別体としたので、水槽に水を貯めないときは排水栓を取り外し、水槽の底をすっきりさせることができる。
また、ヘアーキャッチャおよび／または排水栓を清掃する場合、ヘアーキャッチャと排水栓とに分解できるので、ヘアーキャッチャおよび／または排水栓を個々に清掃することができ、ヘアーキャッチャと排水栓とが一体構成のものよりも清掃性が向上する。
【００５０】
そして、排水栓を取り外すと、ヘアーキャッチャの支持部が把持できる位置に位置するので、支持部を取り外し時、取付時の把持部として利用することができる。
さらに、ヘアーキャッチャの上下に排水栓の被案内羽根を案内するガイド溝、被案内羽根の下端部を受容する受容部を設けたので、被案内羽根の下端をガイド溝に挿入することによって容易に、そして確実に被案内羽根をセンタリングさせながら案内して受容部に受容させることができるため、また、被案内羽根の外径を排水口の内径よりも僅かに小さくしたので、被案内羽根が排水口の内周面でも案内され、排水口の半径方向への移動を阻止されてセンタリングされるため、排水栓を容易に、そして確実に止水可能な状態に、ヘアーキャッチャに装着することができる。
【図面の簡単な説明】
【図１】この発明の一実施形態である排水栓装置を水槽に取り付けて止水状態にした説明図である。
【図２】図１に示した排水栓装置の部分断面図である。
【図３】（ａ），（ｂ），（ｃ）は図２に示したステイリングの左半分を断面にした正面図、平面図、および（ｂ）のＡ−Ａ線による断面図である。
【図４】（ａ），（ｂ），（ｃ）は図２に示したホルダステイの右半分を断面にした正面図、平面図、および右半分を断面にした右側面図である。
【図５】（ａ），（ｂ）は図２に示したヘアーキャッチャの正面図および平面図である。
【図６】（ａ），（ｂ）は図２に示した排水栓の正面図および底面図である。
【図７】操作部を操作して排水口を開放させた排水状態の説明図である。
【符号の説明】
Ｂ      水槽
ｏ      底
１      第１スイッチケース本体
２      第２スイッチケース本体
３      スイッチケース取付筒体
１１    インナワイヤ
１２    アウタワイヤ
１３    ピン
２１    操作ボタン
２２    ヘアーキャッチ
３１    ゴム管
３２    クリップ
４１    第１排水筒本体
４２    第２排水筒本体
４３    Ｏリング
４４    排水孔本体
５１    ステイリング
５２    ホルダステイ
６１    ヘアーキャッチャ
６２    軸部
６３    支持部
６３ａ  ガイド溝
６４    目皿部
６４ａ  溝
７１    排水栓
７２    キャップ
７３    パッキン
７４    カラー
７４ａ  被案内羽根
８１    ジョイント
８２    ジョイントナット
８４    Ｏリング
９１    取付部材
【図１】
0003660782.tif 000002
【図２】
0003660782.tif 000003
【図３】
0003660782.tif 000004
【図４】
0003660782.tif 000005
【図５】
0003660782.tif 000006
【図６】
0003660782.tif 000007
【図７】
0003660782.tif 000008